(57)【要約】【課題】簡単な構成により、巻取ロールとその保持部との間に作用する回転力に対抗し得る強固な固定状態が簡便に得られ、回転力を巻取ロールに的確に伝達し得る巻取ロールの保持装置を提供する。【解決手段】少なくとも一方が軸方向に移動可能に構成された一対の保持部２，３によって中空状の巻取ロール１の両端部を保持する巻取ロール保持装置において、一方の保持部２に形成した巻取ロール１の端部内側に係合する係合軸部１１に半径方向に突出する爪１３を設け、巻取ロール１の装着により爪１３を巻取ロール１に食込ませる。爪の外方に巻取ロール１の端部外周部が当接する当接部を設けてもよい。【選択図】　　　　図４
2004043043.tif 000002
【特許請求の範囲】
【請求項１】
少なくとも一方が軸方向に移動可能に構成された一対の保持部によって中空状の巻取ロールの両端部を保持する巻取ロール保持装置において、前記一方の保持部に形成した巻取ロールの端部内側に係合する係合軸部に半径方向に突出する爪を設け、前記巻取ロールの装着により前記爪が巻取ロールに食込むように構成したことを特徴とする巻取ロール保持装置。
【請求項２】
前記爪の外方に巻取ロールの端部外周部が当接する当接部を設けた請求項１に記載の巻取ロール保持装置。
【請求項３】
前記爪が下方で停止するように構成した請求項１又は２に記載の巻取ロール保持装置。
【発明の詳細な説明】
【０００１】
【発明の属する技術分野】
本発明は、洗浄機用のフィルタや糸条などの巻取り用心材として使用される巻取ロールの保持装置に関する。より詳しくは、紙ロールや不織布ロールなどからなる巻取ロールとその保持部との間に作用する回転力に対抗し得る強固な固定状態が簡便に得られ、巻取ロールに前記回転力を的確に伝達できるように改良した巻取ロールの保持装置に関する。
【０００２】
【従来の技術】
この種の巻取ロールの保持装置に関しては、巻取ロールの端部内側に係合する係合軸部を拡大変形させることによりロール内面に押付けて保持するものや、巻取ロールの端部に凹部を形成して保持部側に形成した凸部と係合させることにより回転力に対抗する保持状態を実現するものなどが知られている（実開昭６３−１１３０３６号公報、実開昭６２−６８９５３号公報）。しかしながら、前者の従来技術の場合には、巻取ロールの端部に係合する係合軸部を拡大変形させるための機構が複雑となりコストが嵩むとともに保持部が大型化するという技術的な難点があった。また、後者の従来技術の場合には、それぞれの巻取ロールの端部に係合用の凹部を形成する必要があるとともに、その巻取ロールの端部に形成した凹部と保持部側に形成した凸部との係合状態を確実に維持するために軸方向の支持機構が必要とされた。
【０００３】
【発明が解決しようとする課題】
本発明は、以上のような従来技術の問題点を解決するために発明したものであり、簡単な構成からなりコストを削減することができ、しかも巻取ロールとその保持部との間に作用する回転力に対抗し得る強固な固定状態が簡便に得られ、前記回転力を巻取ロールに的確に伝達し得る使い勝手のよい巻取ロールの保持装置を提供することを目的とするものである。
【０００４】
【課題を解決するための手段】
前記課題を解決するため、請求項１の発明では、少なくとも一方が軸方向に移動可能に構成された一対の保持部によって中空状の巻取ロールの両端部を保持する巻取ロール保持装置において、前記一方の保持部に形成した巻取ロールの端部内側に係合する係合軸部に半径方向に突出する爪を設け、前記巻取ロールの装着により前記爪が巻取ロールに食込むように構成し、その巻取ロールに対する爪の食込みにより巻取ロールと前記係合軸部との間に作用する回転力に対抗し得る保持状態を実現するという技術手段を採用した。すなわち、本発明によれば、保持部に形成した係合軸部に半径方向に突出する爪を設けるという簡単な構成の採用により、巻取ロールと保持部との間に作用する回転力に対抗し得る強固な固定状態が簡便に得られ、巻取ロールに前記回転力を的確に伝達することができる。請求項２の発明では、前記爪の外方に巻取ロールの端部外周部が当接する当接部を設けるという技術手段を採用した。本発明によれば、巻取ロールの装着に際しては、傾斜した巻取ロールの一端部の外周部を前記当接部に当接して仮に支持しながら巻取ロールの他端部を水平になるように移動することにより、簡便かつ的確に爪を巻取ロールに食込ませることができる。しかも、巻取時における爪の食込み状態も、巻取ロールの端部外周部の前記当接部への当接によって更に安定的に維持される。請求項３の発明では、前記爪が下方で停止するように構成した。本発明によれば、爪が下方で停止することから、その停止状態において保持部の一方を軸方向に後退させて保持部相互間の間隔を拡開すれば、先ず爪のない方の巻取ロールの端部が係合軸部から外れて自重により傾斜し、さらにその傾斜に応じて巻取ロールの他端部に食込んだ爪が外れて自然落下するので、巻取ロールの取外しに関する作業性を向上することが可能である。
【０００５】
【発明の実施の形態】
本発明は、洗浄機用のフィルタや糸条などの各種の部材を巻取対象物とする巻取ロールの保持装置として広く適用することが可能である。特に、巻取ロールと保持部との間に回転力が作用する形態に好適である。本発明は、巻取側の巻取ロールの保持装置としてだけでなく、巻付けられた巻取対象物が引出される送出し側の巻取ロールの保持装置としても適用し得ることはいうまでもない。巻取ロールの材質に関しても、紙製や不織布製の巻取ロールなど、各種の中空状の巻取ロールに適用し得る。保持部に形成する巻取ロールの端部内側に係合する係合軸部の断面形状に関しては、円形だけでなく四角形や他の多角形のものでもよい。また、その係合軸部に半径方向に突出する爪の形成方法に関しては、前記係合軸部に一体的に形成したものでもよいし、以下の実施例のように爪を形成した別体からなる爪板部材を用いて前記係合軸部に組付けるものでもよい。なお、その爪の設置数は、巻取ロールを傾斜させて装着する際に食込み可能な形態であれば、以下の実施例のように１個の場合だけでなく、複数個設置することも可能である。さらに、爪の外方に巻取ロールの端部外周部が当接する当接部を設ければ、前述のように巻取ロールの装着に際して、傾斜した巻取ロールの一端部の外周部を前記当接部に当接して仮に支持しながら巻取ロールの他端部を水平になるように移動することにより簡便かつ的確に爪を巻取ロールに食込ませることが可能であるが、前記当接部を設けない形態も可能であることはいうまでもない。因みに、巻取ロールの装着状態においても巻取ロールの端部外周部が前記当接部に当接するように設定しておけば、その当接部への当接によって巻取時における爪の食込み状態を更に安定的に維持できる。
【０００６】
【実施例】
以下、図面を用いて本発明の実施例に関して説明する。図１は本発明に係る第１実施例を示した縦断面図であり、図２はその保持部に関するＡ−Ａ断面図、図３は本実施例に使用した爪板部材の斜視図である。図１に示したように、紙製等からなる巻取ロール１は、両端部を保持部２，３に保持された状態に装着され、回転しながらフィルタ等の巻取対象物４を巻取る。一方の保持部２は、回転駆動部５の回転出力軸６に固着され、巻取ロール１の一端部を保持すると共に回転力を付与する。他方の保持部３は、軸受部７に軸方向に摺動可能に支持された支持軸８にベアリング９を介して回転可能に支持され、巻取ロール１の他端部を回転可能に保持する。支持軸８にはセットハンドル１０を設け、このセットハンドル１０を介して支持軸８を軸方向に摺動して保持部３を進退することにより巻取ロール１の着脱を行うとともに、セットハンドル１０を倒して軸受部７に形成したＬ字状の溝の鉤部に係止することにより支持軸８の軸方向の摺動をロックし得るように構成している。
【０００７】
次に、本発明の特徴に関して説明する。本実施例では、図１及び図２に示したように前記保持部２に形成した巻取ロール１の端部内側に係合する係合軸部１１に溝部１２を形成し、この溝部１２に図３に示した爪１３を有する爪板部材１４を挿入して止めネジ１５により固定することにより、係合軸部１１に半径方向に突出する爪１３を形成するようにした。因みに、係合軸部１１には、装着時に巻取ロール１が嵌合しやすいように若干のテーパがつけてあり、角部にはアールがつけてある。しかして、本実施例において巻取ロール１を装着する場合には、セットハンドル１０の向きを戻しロックを外して支持軸８を軸方向に摺動し、図４に示したように保持部３を後退させた上、巻取ロール１を傾斜させて一端部の内側を係合軸部１１の後方段部に押し当て、その状態で他端部を持上げて巻取ロール１を水平にする。この巻取ロール１の他端部を持上げて水平にする過程で、巻取ロール１が係合軸部１１の外周面に規制されながら嵌合されるに従って、爪１３が巻取ロール１に内側から食込み、巻取ロール１を係合軸部１１に強固に固定する。しかる後、セットハンドル１０を介して支持軸８を前進させて保持部３の係合軸部１６を巻取ロール１の他端部内側に係合させ、その上でセットハンドル１０を倒してロックすることにより、巻取ロール１の装着が完了する。フィルタ等の巻取対象物４の巻取り運転においては、回転駆動部５の回転出力軸６を介して保持部２に回転力が付与され、巻取ロール１が回転しながら巻取対象物４を巻取る。この場合、前記爪１３が巻取ロール１に食込んで強固に固定されることから、係合軸部１１と巻取ロール１との間に作用する回転力に対して充分対抗することができ、滑りを生じることなく、前記回転力を巻取ロール１に的確に伝達することができる。
【０００８】
前記巻取対象物４の巻取り量が所定量に達して巻取ロール１を取外す場合には、セットハンドル１０の向きを戻しロックを外して支持軸８を軸方向に摺動し保持部３を後退させた上、巻取ロール１を装着の場合と同様に図４に示したように傾斜させて爪１３の食込みを外すことにより、巻取ロール１を簡単に取外すことができる。なお、図示のように巻取ロール１と固定壁部１７との間に近接スイッチ１８を設置し、この近接スイッチ１８により巻取ロール１の回転位置を検出して回転駆動部５を制御することにより前記爪１３が常に下方で停止するように構成すれば、セットハンドル１０を介して保持部３を後退させて巻取ロール１の端部から保持部３の係合軸部１６を引抜くことにより、あとは自重により巻取ロール１が傾斜しながら爪１３の食込みから外れて自然落下する形態も可能である。また、固定壁部１７，１９に掛止ピン２０，２１を設けて収容袋２２をセットするように構成すれば、自然落下した巻取ロール１を手を煩わすことなく回収することも可能である。
【０００９】
図５は本発明に係る第２実施例を示した縦断面図であり、図６はその要部拡大図である。本実施例は、前記第１実施例の変形例であり、第１実施例と同様の構成部分には同じ符号を付して前記説明を援用する。本実施例の特徴は、図６の要部拡大図に示したように、保持部２に組込む爪板部材２３に爪２４と該爪２４の外方に巻取ロール１の端部外周部が当接し得る当接部２５を形成した点にある。なお、本実施例における当接部２５では、図示のように傾斜した当接面を採用しており、装着状態においても巻取ロール１の端部外周部がほぼ当接した状態が得られるように構成している。しかして、本実施例において巻取ロール１を装着する場合には、セットハンドル１０の向きを戻しロックを外して支持軸８を軸方向に摺動し、図７に示したように保持部３を後退させた上、巻取ロール１を傾斜してその一端部を爪２４と前記当接部２５との間に挿入し、端部を後方へ押しつけながら、他端部を持上げて巻取ロール１を水平にする。この他端部を持上げて巻取ロール１を水平にする過程で、巻取ロール１の端部外周面が当接部２５に当接して位置が規制されることから、爪２４が巻取ロール１に内側から食込み、巻取ロール１を係合軸部１１に強固に固定する。この爪２４の巻取ロール１への食込みに際しては、巻取ロール１の端部外周部が当接部２５に支持されることから、爪１４の食込みが更に安定的に行われる。しかも、巻取ロール１の装着が完了した後の通常の巻取り運転時においても、巻取ロール１の端部外周部の当接部２５への当接によって爪２４の食込み状態が安定的に保持されることから、巻取ロール１と保持部２の係合軸部１１との間に作用する回転力に対して更に確実に対抗することができ、その回転力をより安定的かつ的確に巻取ロール１に伝達することができる。因みに、本実施例の場合には、巻取ロール１の端部外周部の前記当接部２５への当接により、係合軸部１１の外周部と巻取ロール１の内周面との間に多少の隙間が存しても爪２４の食込み状態を支障なく保持し得ることから、係合軸部１１の外径を少し小さめに設定して、装着時における巻取ロール１の係合軸部１１への嵌合の容易化を図ることも可能である。なお、その他の操作や機能においては、前記第１実施例と同様である。
【００１０】
【発明の効果】
本発明によれば、次の効果を得ることができる。
（１）請求項１の発明によれば、巻取ロールの端部内側に係合する保持部側の係合軸部に半径方向に突出する爪を設けるというきわめて簡単な構成により、巻取ロールと保持部との間に作用する回転力に対抗し得る強固な固定状態を簡便に得ることができ、滑りを生じることなく回転力を巻取ロールに的確に伝達することができる。
（２）請求項２の発明によれば、巻取ロールの装着に際して、傾斜状態の巻取ロールの一端部の外周部を爪の外側に設けた当接部に当接して仮に支持しながら巻取ロールの他端部を水平になるように操作することにより、更に簡便かつ的確に爪を巻取ロールへ食込ませることができる。しかも、巻取り運転時においても、巻取ロールの端部の当接部への当接によって爪の食込み状態を保持することが可能なことから、巻取ロールと保持部の係合軸部との間に作用する回転力を更に安定的かつ的確に巻取ロールに伝達することができる。
（３）請求項３の発明によれば、爪が下方で停止するので、その停止状態において保持部の一方を軸方向に後退させて、保持部相互間の間隔を拡開するだけで、巻取ロールが自重により爪の食込みから外れて自然落下する形態も可能なことから、巻取ロールの取外しに関する作業性の向上が可能である。
【図面の簡単な説明】
【図１】本発明に係る第１実施例を示した縦断面図である。
【図２】同実施例の保持部のＡ−Ａ断面図である。
【図３】同実施例に使用した爪板部材の斜視図である。
【図４】同実施例における巻取ロールの着脱時の途中を示した縦断面図である。
【図５】本発明に係る第２実施例を示した縦断面図である。
【図６】同実施例の要部拡大図である。
【図７】同実施例における巻取ロールの着脱時の途中を示した縦断面図である。
【符号の説明】
１…巻取ロール、２，３…保持部、４…巻取対象物、５…回転駆動部、６…回転出力軸、７…軸受部、８…支持軸、９…ベアリング、１０…セットハンドル、１１…係合軸部、１２…溝部、１３…爪、１４…爪板部材、１５…止めネジ、１６…係合軸部、１７…固定壁部、１８…近接スイッチ、１９…固定壁部、２０，２１…掛止ピン、２２…収容袋、２３…爪板部材、２４…爪、２５…当接部
【図１】
2004043043.tif 000003
【図２】
2004043043.tif 000004
【図３】
2004043043.tif 000005
【図４】
2004043043.tif 000006
【図５】
2004043043.tif 000007
【図６】
2004043043.tif 000008
【図７】
2004043043.tif 000009